(57)【要約】【課題】  移動体端末から送信されるＨＳＵＰＡ  Ｅ−ＤＣＨ  ＭＡＣ−ｅ  ＰＤＵ数を正確にカウントすることが可能な基地局装置を提供する。【解決手段】  ＨＳＵＰＡ信号変復調部２１は、Ｅ−ＤＰＣＣＨのＨＡＲＱコントロールインフォメーションで表示されるＴＥＢＳから、移動体端末３のバッファ状況を知ることができ、これを考慮して移動体端末３に対してどのプロセスでＭＡＣ−ｅ  ＰＤＵを送信させるかを割り当てる。ＨＳＵＰＡ信号変復調部２１は期待したプロセスでＭＡＣ−ｅ  ＰＤＵを受信しなかった時、次の同じ番号のプロセスで受信することを期待し、このプロセスでもＭＡＣ−ｅ  ＰＤＵを受信できない場合、その次の同じ番号のプロセスというように、ＭＡＣ−ｅ  ＰＤＵの受信を期待するプロセスをシフトさせていく。【選択図】      図１
2008103862.tif 000002
【特許請求の範囲】
【請求項１】
基地局装置がＨＡＲＱ（Ｈｙｂｒｉｄ  Ａｃｋｎｏｗｌｅｄｇｅ  Ｒｅｑｕｅｓｔ）方式を使用して移動体端末からのＭＡＣ（Ｍｅｄｉｕｍ  Ａｃｃｅｓｓ  Ｃｏｎｔｒｏｌ）−ｅ  ＰＤＵ（Ｐｒｏｔｏｃｏｌ  Ｄａｔａ  Ｕｎｉｔ）を受信する移動体通信システムであって、
前記基地局装置は、Ｅ−ＤＰＣＨ［Ｅ−ＤＣＨ（Ｅｎｈａｎｃｅｄ  Ｄｅｄｉｃａｔｅｄ  ＣＨａｎｎｅｌ）  Ｄｅｄｉｃａｔｅｄ  Ｐｈｙｓｉｃａｌ  ＣＨａｎｎｅｌ］のＴＢＥＳ（Ｔｏｔａｌ  Ｅ−ＤＣＨ  Ｂｕｆｆｅｒ  Ｓｔａｔｕｓ）を用いて前記移動体端末が使用するプロセス数を推定する手段を有することを特徴とする移動体通信システム。
【請求項２】
前記プロセス数を推定する手段は、前記移動体端末が前記Ｅ−ＤＰＣＨを送信するプロセスを予測し、そのプロセスを基準として実際に前記Ｅ−ＤＰＣＨを受けた場合に前記ＭＡＣ−ｅ  ＰＤＵの再送回数を推定することを特徴とする請求項１記載の移動体通信システム。
【請求項３】
前記プロセス数を推定する手段は、前記ＭＡＣ−ｅ  ＰＤＵの再送回数を示すためのＲＳＮ（Ｒｅｔｒａｎｓｍｉｓｓｉｏｎ  Ｓｅｑｕｅｎｃｅ  Ｎｕｍｂｅｒ）値が表示できる最大値を示している場合に実際の再送回数を推定することを特徴とする請求項１または請求項２記載の移動体通信システム。
【請求項４】
Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式の無線ネットワークであることを特徴とする請求項１から請求項３のいずれか記載の移動体通信システム。
【請求項５】
移動体通信システムにおいて、ＨＡＲＱ（Ｈｙｂｒｉｄ  Ａｃｋｎｏｗｌｅｄｇｅ  Ｒｅｑｕｅｓｔ）方式を使用して移動体端末からのＭＡＣ（Ｍｅｄｉｕｍ  Ａｃｃｅｓｓ  Ｃｏｎｔｒｏｌ）−ｅ  ＰＤＵ（Ｐｒｏｔｏｃｏｌ  Ｄａｔａ  Ｕｎｉｔ）を受信する基地局装置であって、
Ｅ−ＤＰＣＨ［Ｅ−ＤＣＨ（Ｅｎｈａｎｃｅｄ  Ｄｅｄｉｃａｔｅｄ  ＣＨａｎｎｅｌ）  Ｄｅｄｉｃａｔｅｄ  Ｐｈｙｓｉｃａｌ  ＣＨａｎｎｅｌ］のＴＢＥＳ（Ｔｏｔａｌ  Ｅ−ＤＣＨ  Ｂｕｆｆｅｒ  Ｓｔａｔｕｓ）を用いて前記移動体端末が使用するプロセス数を推定する手段を有することを特徴とする基地局装置。
【請求項６】
前記プロセス数を推定する手段は、前記移動体端末が前記Ｅ−ＤＰＣＨを送信するプロセスを予測し、そのプロセスを基準として実際に前記Ｅ−ＤＰＣＨを受けた場合に前記ＭＡＣ−ｅ  ＰＤＵの再送回数を推定することを特徴とする請求項５記載の基地局装置。
【請求項７】
前記プロセス数を推定する手段は、前記ＭＡＣ−ｅ  ＰＤＵの再送回数を示すためのＲＳＮ（Ｒｅｔｒａｎｓｍｉｓｓｉｏｎ  Ｓｅｑｕｅｎｃｅ  Ｎｕｍｂｅｒ）値が表示できる最大値を示している場合に実際の再送回数を推定することを特徴とする請求項５または請求項６記載の基地局装置。
【請求項８】
前記移動体通信システムが、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式の無線ネットワークであることを特徴とする請求項５から請求項７のいずれか記載の基地局装置。
【請求項９】
基地局装置がＨＡＲＱ（Ｈｙｂｒｉｄ  Ａｃｋｎｏｗｌｅｄｇｅ  Ｒｅｑｕｅｓｔ）方式を使用して移動体端末からのＭＡＣ（Ｍｅｄｉｕｍ  Ａｃｃｅｓｓ  Ｃｏｎｔｒｏｌ）−ｅ  ＰＤＵ（Ｐｒｏｔｏｃｏｌ  Ｄａｔａ  Ｕｎｉｔ）を受信する移動体通信システムに用いるアップリンクパケット再送回数推定方法であって、
前記基地局装置が、Ｅ−ＤＰＣＨ［Ｅ−ＤＣＨ（Ｅｎｈａｎｃｅｄ  Ｄｅｄｉｃａｔｅｄ  ＣＨａｎｎｅｌ）  Ｄｅｄｉｃａｔｅｄ  Ｐｈｙｓｉｃａｌ  ＣＨａｎｎｅｌ］のＴＢＥＳ（Ｔｏｔａｌ  Ｅ−ＤＣＨ  Ｂｕｆｆｅｒ  Ｓｔａｔｕｓ）を用いて前記移動体端末が使用するプロセス数を推定する処理を実行することを特徴とするアップリンクパケット再送回数推定方法。
【請求項１０】
前記基地局装置が、前記プロセス数を推定する処理において、前記移動体端末が前記Ｅ−ＤＰＣＨを送信するプロセスを予測し、そのプロセスを基準として実際に前記Ｅ−ＤＰＣＨを受けた場合に前記ＭＡＣ−ｅ  ＰＤＵの再送回数を推定することを特徴とする請求項９記載のアップリンクパケット再送回数推定方法。
【請求項１１】
前記基地局装置が、前記プロセス数を推定する処理において、前記ＭＡＣ−ｅ  ＰＤＵの再送回数を示すためのＲＳＮ（Ｒｅｔｒａｎｓｍｉｓｓｉｏｎ  Ｓｅｑｕｅｎｃｅ  Ｎｕｍｂｅｒ）値が表示できる最大値を示している場合に実際の再送回数を推定することを特徴とする請求項９または請求項１０記載のアップリンクパケット再送回数推定方法。
【請求項１２】
前記移動体通信システムが、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式の無線ネットワークであることを特徴とする請求項９から請求項１１のいずれか記載のアップリンクパケット再送回数推定方法。
【請求項１３】
基地局装置がＨＡＲＱ（Ｈｙｂｒｉｄ  Ａｃｋｎｏｗｌｅｄｇｅ  Ｒｅｑｕｅｓｔ）方式を使用して移動体端末からのＭＡＣ（Ｍｅｄｉｕｍ  Ａｃｃｅｓｓ  Ｃｏｎｔｒｏｌ）−ｅ  ＰＤＵ（Ｐｒｏｔｏｃｏｌ  Ｄａｔａ  Ｕｎｉｔ）を受信する移動体通信システムにおいて前記基地局装置が実行するプログラムであって、
前記基地局装置の中央処理装置に、Ｅ−ＤＰＣＨ［Ｅ−ＤＣＨ（Ｅｎｈａｎｃｅｄ  Ｄｅｄｉｃａｔｅｄ  ＣＨａｎｎｅｌ）  Ｄｅｄｉｃａｔｅｄ  Ｐｈｙｓｉｃａｌ  ＣＨａｎｎｅｌ］のＴＢＥＳ（Ｔｏｔａｌ  Ｅ−ＤＣＨ  Ｂｕｆｆｅｒ  Ｓｔａｔｕｓ）を用いて前記移動体端末が使用するプロセス数を推定する処理を実行させるためのプログラム。
【発明の詳細な説明】
【技術分野】
【０００１】
本発明は移動体通信システム、基地局装置及びそれらに用いるアップリンクパケット再送回数推定方法並びにそのプログラムに関し、特に基地局装置におけるＨＳＵＰＡ（Ｈｉｇｈ−Ｓｐｅｅｄ  Ｕｐｌｉｎｋ  Ｐａｃｋｅｔ  Ａｃｃｅｓｓ）のアップリンクパケット（Ｕｐｌｉｎｋ  Ｐａｃｋｅｔ）の再送回数推定方法に関する。
【背景技術】
【０００２】
基地局装置では、無線の品質を測定することが重要である。無線の品質を測定する方法としては、受信データの誤りが大きい場合に送信しかつ再送を要求するＮＡＣＫ（Ｎｅｇａｔｉｖｅ  ＡＣＫｎｏｗｌｅｄｇｅｍｅｎｔ）メッセージ（Ｍｅｓｓａｇｅ）の数を測定する方法がある。
【０００３】
しかしながら、これは基地局装置がＥ−ＤＰＣＨ［Ｅ−ＤＣＨ（Ｅｎｈａｎｃｅｄ  Ｄｅｄｉｃａｔｅｄ  ＣＨａｎｎｅｌ）  Ｄｅｄｉｃａｔｅｄ  Ｐｈｙｓｉｃａｌ  ＣＨａｎｎｅｌ］を受信することができることを前提としているため、移動体端末がＥ−ＤＰＣＨを送信しているにも関わらず、基地局装置で受信できない場合を考慮することができない。
【０００４】
つまり、移動体端末から送信されたＭＡＣ（Ｍｅｄｉｕｍ  Ａｃｃｅｓｓ  Ｃｏｎｔｒｏｌ）−ｅ  ＰＤＵ（Ｐｒｏｔｏｃｏｌ  Ｄａｔａ  Ｕｎｉｔ）を乗せたＥ−ＤＰＣＨを、再送を含めて測定し、実際に受信したＭＡＣ−ｅ  ＰＤＵ数と比べることで無線品質を測定することができるため、移動体端末から送信されたＭＡＣ−ｅ  ＰＤＵ数を測定することが必要である。
【０００５】
尚、上記のような移動体通信システムでは、呼単位で、移動体端末との間の無線リンクでのＰＤＵ送信状態を監視して把握し、無線伝送品質の評価値として再送発生率を計算し、その再送発生率が閾値以上となった時に無線伝送品質を劣化状態と判定する方法が提案されている（例えば、特許文献１参照）。
【０００６】
【特許文献１】特開２００３−１８９３６８号公報
【発明の開示】
【発明が解決しようとする課題】
【０００７】
上述した従来の基地局装置では、受信していないＥ−ＤＰＣＨを測定することができないため、実際にはＥ−ＤＰＣＨを受信した際にＭＡＣ−ｅ  ＰＤＵに示されたＲＳＮ（Ｒｅｔｒａｎｓｍｉｓｓｉｏｎ  Ｓｅｑｕｅｎｃｅ  Ｎｕｍｂｅｒ）値を用いて再送回数を把握している。
【０００８】
しかしながら、ＲＳＮ値は誤る可能性があり、また有限であるので、表示することができる最大値が存在するため、ＲＳＮ値が必ずしも正しい再送回数を表示しているとは限らない。
【０００９】
移動体端末からＥ−ＤＰＣＨが送信された際、無線環境の状態によって誤り率が大きくなる可能性があり、Ｅ−ＤＰＣＨを受信できない場合や、基地局装置でＥ−ＤＰＣＨを受信しても正確にＭＡＣ−ｅ  ＰＤＵを復号できない場合がある。
【００１０】
その際、移動体端末は次のサイクル（Ｃｙｃｌｅ）の同じプロセス（ＰＲＯＣＥＳＳ）でＭＡＣ−ｅ  ＰＤＵの再送を行う。ＨＳＵＰＡ信号変復調装置では、１）ＲＳＮが正常に復号できない場合、２）ＲＳＮより大きな最大再送許容回数が設定されている場合で、ＲＳＮが設定できる最大値で報告された場合、というような場合において、再送回数が正常にわからない場合が発生する。尚、上記の特許文献１に記載の技術では、この問題を解決することができない。
【００１１】
そこで、本発明の目的は上記の問題点を解消し、移動体端末から送信されるＨＳＵＰＡ  Ｅ−ＤＣＨ  ＭＡＣ−ｅ  ＰＤＵ数を正確にカウントすることができる移動体通信システム、基地局装置及びそれらに用いるアップリンクパケット再送回数推定方法を提供することにある。
【課題を解決するための手段】
【００１２】
本発明による移動体通信システムは、基地局装置がＨＡＲＱ（Ｈｙｂｒｉｄ  Ａｃｋｎｏｗｌｅｄｇｅ  Ｒｅｑｕｅｓｔ）方式を使用して移動体端末からのＭＡＣ（Ｍｅｄｉｕｍ  Ａｃｃｅｓｓ  Ｃｏｎｔｒｏｌ）−ｅ  ＰＤＵ（Ｐｒｏｔｏｃｏｌ  Ｄａｔａ  Ｕｎｉｔ）を受信する移動体通信システムであって、
前記基地局装置は、Ｅ−ＤＰＣＨ［Ｅ−ＤＣＨ（Ｅｎｈａｎｃｅｄ  Ｄｅｄｉｃａｔｅｄ  ＣＨａｎｎｅｌ）  Ｄｅｄｉｃａｔｅｄ  Ｐｈｙｓｉｃａｌ  ＣＨａｎｎｅｌ］のＴＢＥＳ（Ｔｏｔａｌ  Ｅ−ＤＣＨ  Ｂｕｆｆｅｒ  Ｓｔａｔｕｓ）を用いて前記移動体端末が使用するプロセス数を推定する手段を備えている。
【００１３】
本発明による基地局装置は、移動体通信システムにおいて、ＨＡＲＱ（Ｈｙｂｒｉｄ  Ａｃｋｎｏｗｌｅｄｇｅ  Ｒｅｑｕｅｓｔ）方式を使用して移動体端末からのＭＡＣ（Ｍｅｄｉｕｍ  Ａｃｃｅｓｓ  Ｃｏｎｔｒｏｌ）−ｅ  ＰＤＵ（Ｐｒｏｔｏｃｏｌ  Ｄａｔａ  Ｕｎｉｔ）を受信する基地局装置であって、
Ｅ−ＤＰＣＨ［Ｅ−ＤＣＨ（Ｅｎｈａｎｃｅｄ  Ｄｅｄｉｃａｔｅｄ  ＣＨａｎｎｅｌ）  Ｄｅｄｉｃａｔｅｄ  Ｐｈｙｓｉｃａｌ  ＣＨａｎｎｅｌ］のＴＢＥＳ（Ｔｏｔａｌ  Ｅ−ＤＣＨ  Ｂｕｆｆｅｒ  Ｓｔａｔｕｓ）を用いて前記移動体端末が使用するプロセス数を推定する手段を備えている。
【００１４】
本発明によるアップリンクパケット再送回数推定方法は、基地局装置がＨＡＲＱ（Ｈｙｂｒｉｄ  Ａｃｋｎｏｗｌｅｄｇｅ  Ｒｅｑｕｅｓｔ）方式を使用して移動体端末からのＭＡＣ（Ｍｅｄｉｕｍ  Ａｃｃｅｓｓ  Ｃｏｎｔｒｏｌ）−ｅ  ＰＤＵ（Ｐｒｏｔｏｃｏｌ  Ｄａｔａ  Ｕｎｉｔ）を受信する移動体通信システムに用いるアップリンクパケット再送回数推定方法であって、
前記基地局装置が、Ｅ−ＤＰＣＨ［Ｅ−ＤＣＨ（Ｅｎｈａｎｃｅｄ  Ｄｅｄｉｃａｔｅｄ  ＣＨａｎｎｅｌ）  Ｄｅｄｉｃａｔｅｄ  Ｐｈｙｓｉｃａｌ  ＣＨａｎｎｅｌ］のＴＢＥＳ（Ｔｏｔａｌ  Ｅ−ＤＣＨ  Ｂｕｆｆｅｒ  Ｓｔａｔｕｓ）を用いて前記移動体端末が使用するプロセス数を推定する処理を実行している。
【００１５】
本発明によるプログラムは、基地局装置がＨＡＲＱ（Ｈｙｂｒｉｄ  Ａｃｋｎｏｗｌｅｄｇｅ  Ｒｅｑｕｅｓｔ）方式を使用して移動体端末からＭＡＣ（Ｍｅｄｉｕｍ  Ａｃｃｅｓｓ  Ｃｏｎｔｒｏｌ）−ｅ  ＰＤＵ（Ｐｒｏｔｏｃｏｌ  Ｄａｔａ  Ｕｎｉｔ）を受信する移動体通信システムにおいて前記基地局装置が実行するプログラムであって、
前記基地局装置の中央処理装置に、Ｅ−ＤＰＣＨ［Ｅ−ＤＣＨ（Ｅｎｈａｎｃｅｄ  Ｄｅｄｉｃａｔｅｄ  ＣＨａｎｎｅｌ）  Ｄｅｄｉｃａｔｅｄ  Ｐｈｙｓｉｃａｌ  ＣＨａｎｎｅｌ］のＴＢＥＳ（Ｔｏｔａｌ  Ｅ−ＤＣＨ  Ｂｕｆｆｅｒ  Ｓｔａｔｕｓ）を用いて前記移動体端末が使用するプロセス数を推定する処理を実行させている。
【００１６】
すなわち、本発明の移動体通信システムは、基地局装置がＨＡＲＱ（Ｈｙｂｒｉｄ  Ａｃｋｎｏｗｌｅｄｇｅ  Ｒｅｑｕｅｓｔ）方式を使用して移動体端末からのＭＡＣ（Ｍｅｄｉｕｍ  Ａｃｃｅｓｓ  Ｃｏｎｔｒｏｌ）−ｅ  ＰＤＵ（Ｐｒｏｔｏｃｏｌ  Ｄａｔａ  Ｕｎｉｔ）を受信している環境において、基地局装置のＨＳＵＰＡ（Ｈｉｇｈ−Ｓｐｅｅｄ  Ｕｐｌｉｎｋ  Ｐａｃｋｅｔ  Ａｃｃｅｓｓ）信号変復調部にてＥ−ＤＰＣＣＨ［Ｅ−ＤＣＨ（Ｅｎｈａｎｃｅｄ  Ｄｅｄｉｃａｔｅｄ  ＣＨａｎｎｅｌ）  Ｄｅｄｉｃａｔｅｄ  Ｐｈｙｓｉｃａｌ  Ｃｏｎｔｒｏｌ  ＣＨａｎｎｅｌ］のＨＡＲＱコントロールインディケータ（Ｃｏｎｔｒｏｌ  Ｉｎｄｉｃａｔｏｒ）で表示されるＴＥＢＳ（Ｔｏｔａｌ  Ｅ−ＤＣＨ  Ｂｕｆｆｅｒ  Ｓｔａｔｕｓ）から移動体端末のバッファ（Ｂｕｆｆｅｒ）状況を知ることが可能となる。
【００１７】
ＨＳＵＰＡ信号変復調部では、この値を考慮して移動体端末に対してどのプロセス（ＰＲＯＣＥＳＳ）でＭＡＣ−ｅ  ＰＤＵを送信させるかを割り当てるため、ＭＡＣ−ｅ  ＰＤＵを受信するプロセスを予め期待することが可能となる。
【００１８】
上記の課題の１）の場合において、期待したプロセスでＭＡＣ−ｅ  ＰＤＵを受信した時、ＲＳＮ（Ｒｅｔｒａｎｓｍｉｓｓｉｏｎ  Ｓｅｑｕｅｎｃｅ  Ｎｕｍｂｅｒ）を正常に復号することができない場合には、再送はないと判断することが可能となる。
【００１９】
上記の課題の１）の場合において、ＨＳＵＰＡ信号変復調部が期待したプロセスでＭＡＣ−ｅ  ＰＤＵを受信しなかった時、次の同じ番号のプロセスで受信することを期待する。このプロセスでもＭＡＣ−ｅ  ＰＤＵを受信できない場合には、その次の同じ番号のプロセスというように、ＭＡＣ−ｅ  ＰＤＵの受信を期待するプロセスをシフト（Ｓｈｉｆｔ）させていく。
【００２０】
移動体端末も、上記と同様に、基地局装置からＡＣＫ（ＡＣＫｎｏｗｌｅｄｇｅｍｅｎｔ）メッセージ（Ｍｅｓｓａｇｅ）を受信しなかった場合、次の同じ番号のプロセスタイミング（ＰＲＯＣＥＳＳ  Ｔｉｍｉｎｇ）でＭＡＣ−ｅ  ＰＤＵの再送を実施する。移動体端末はＡＣＫメッセージを受信するまでＭＡＣ−ｅ  ＰＤＵの再送を実施する。
【００２１】
上記の課題の２）の場合で触れるが、最大再送回数が規定されている場合には、その値以上の再送を実施しない。最初に期待したプロセスでＭＡＣ−ｅ  ＰＤＵを受信せず、数回後のプロセスでＭＡＣ−ｅ  ＰＤＵを受信した場合で、かつ上記の課題の１）の場合にＲＳＮが正常に復号できなかった時には、ＨＳＵＰＡ信号変復調部が最初に期待したプロセスを基準にして、実際に受信したプロセスが何度目に期待したプロセスかを判断して再送回数を推定することが可能となる。
【００２２】
上記の課題の２）の場合において、基地局装置と移動体端末との間で再送回数を表示するＲＳＮのフィールド長（Ｆｉｅｌｄ  Ｌｅｎｇｔｈ）は有限であり、無線ネットワーク制御装置から移動体端末に対して指定される最大再送回数はこの値よりも大きい場合がある。そのため、基地局装置がＭＡＣ−ｅ  ＰＤＵを受信し、ＲＳＮを復号することができた場合でも、ＲＳＮ値が表示できる最大を報告している場合には実際の再送回数とは異なる可能性がある。よって、ＨＳＵＰＡ信号変復調部は、上記の場合と同様に、最初に期待したプロセスを基準にして、実際に受信したプロセスが何度目に期待したプロセスかを判断して再送回数を推定することが可能となる。
【００２３】
但し、ＲＳＮ値が表示できる最大値よりも小さい場合には、その値を使用すればよい。つまり、基地局装置は移動体端末から送信されるＭＡＣ−ｅ  ＰＤＵを受信する際、期待されるプロセスを見つけ出し、そのプロセスを基準として再送回数を推定することで、移動体端末から送信されたＭＡＣ−ｅ  ＰＤＵ数をカウントすることが可能となる。
【００２４】
このように、本発明の移動体通信システムでは、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）移動体基地局装置及び無線ネットワーク制御装置で構成された無線エリアネットワークにおいて、移動体端末から送信されるＨＳＵＰＡ  Ｅ−ＤＣＨ  ＭＡＣ−ｅ  ＰＤＵ数を正確にカウントすることが可能となる。
【００２５】
より具体的に説明すると、本発明の移動体通信システムでは、無線ネットワーク制御装置が基地局装置とＡＴＭ（Ａｓｙｎｃｈｒｏｎｏｕｓ  Ｔｒａｎｓｆｅｒ  Ｍｏｄｅ）回線を用いて接続されており、移動体端末が基地局装置とＷ−ＣＤＭＡ無線アクセス方式で信号の送受信を行っている。基地局装置にはＨＳＵＰＡ信号変復調部が存在し、ＨＳＵＰＡ信号変復調部では、ＨＡＲＱ方式を使って、移動体端末からＥ−ＤＰＣＨ（Ｅ−ＤＣＨ  Ｄｅｄｉｃａｔｅｄ  Ｐｈｙｓｉｃａｌ  ＣＨａｎｎｅｌ）の受信を行っているものとする。ＨＡＲＱ方式は一定時間単位のプロセスを用いて制御する方式で、有限のプロセスを１サイクルとする。
【００２６】
基地局装置と移動体端末との間の通信においては、無線環境の状態によってＥ−ＤＰＣＨの誤りが大きくなる場合があるため、ＨＳＵＰＡ信号変復調部ではＥ−ＤＰＣＨが受信できなかったり、ＭＡＣ−ｅ  ＰＤＵを正常に復号できない場合がある。その場合、移動体端末はＭＡＣ−ｅ  ＰＤＵを再送するが、ＨＡＲＱ方式では同じプロセスを用いて再送を実施する。ＭＡＣ−ｅ  ＰＤＵでは、再送回数を示すためにＲＳＮフィールドが規定されており、移動体端末は再送時に何回目の再送かをこのフィールドで表示することができる。
【００２７】
ＨＳＵＰＡ信号変復調部では、ＭＡＣ−ｅ  ＰＤＵを正しく受信することができても、このフィールドを正常に復号できない場合がある。さらに、ＲＳＮのフィールド長は有限であり、実際にはＲＳＮのフィールド長で表示することができない回数の再送が予め許容されている場合があるため、ＲＳＮフィールドで表示された値が必ずしも正しい再送回数を表示していない場合がある。
【００２８】
そこで、本発明の移動体通信システムでは、Ｅ−ＤＰＣＨを正しく受信できない場合やＥ−ＤＰＣＨを受信してもＲＳＮフィールドを正常に復号できない場合、ＲＳＮのフィールド長の制限によって正確にカウントできない場合において、ＨＳＵＰＡ信号変復調部にて移動体端末から送信されたＭＡＣ−ｅ  ＰＤＵ数及び再送信された数を推定する手段を提供し、正確に測定することを可能としている。
【００２９】
Ｅ−ＤＰＣＨは制御信号を含むＥ−ＤＰＣＣＨと、ＭＡＣ−ｅ  ＰＤＵ等のユーザデータ（Ｕｓｅｒ  Ｄａｔａ）を含むＥ−ＤＰＤＣＨ（Ｅ−ＤＣＨ  Ｄｅｄｉｃａｔｅｄ  Ｐｈｙｓｉｃａｌ  Ｄａｔａ  ＣＨａｎｎｅｌ）とからなる。ＨＳＵＰＡ信号変復調部は、Ｅ−ＤＰＣＣＨのＨＡＲＱコントロールインフォメーション（Ｉｎｆｏｒｍａｔｉｏｎ）で表示されるＴＥＢＳから、移動体端末のバッファ状況を知ることが可能であり、これを考慮して移動体端末に対してどのプロセスでＭＡＣ−ｅ  ＰＤＵを送信させるかを割り当てる。したがって、ＨＳＵＰＡ信号変復調部では、ＭＡＣ−ｅ  ＰＤＵを受信するプロセスを予め期待することが可能となる。
【００３０】
本発明の移動体通信システムでは、期待したプロセスでＭＡＣ−ｅ  ＰＤＵを受信しなかった場合、そのプロセスで移動体端末がＭＡＣ−ｅ  ＰＤＵを送信した可能性があると推定しておくことで、後に正常にＭＡＣ−ｅ  ＰＤＵを受信して復号できた際に正確な再送回数を検出する。これによって、本発明の移動体通信システムでは、無線環境の状態によってＭＡＣ−ｅ  ＰＤＵが再送される場合において、正確な再送回数をカウントすることが可能となる。
【００３１】
また、本発明の移動体通信システムでは、移動体端末のＭＡＣ−ｅ  ＰＤＵの再送周期が一定であるという定義を利用して、最初に受信を期待したプロセスを基準にして、実際に受信できたＭＡＣ−ｅ  ＰＤＵの再送回数を正確に推定することが可能となる。よって、本発明の移動体通信システムでは、Ｅ−ＤＰＣＨを受信できなかった場合や、受信できてもＲＳＮが正確に復号できなかった場合、無線ネットワーク制御装置から指定された最大再送回数がＲＳＮで表示可能な値よりも大きい時にＲＳＮが最大値を表示している場合に、正確にＭＡＣ−ｅ  ＰＤＵの再送回数を推定することが可能となる。
【発明の効果】
【００３２】
本発明は、上記のような構成及び動作とすることで、移動体端末から送信されるＨＳＵＰＡ  Ｅ−ＤＣＨ  ＭＡＣ−ｅ  ＰＤＵ数を正確にカウントすることができるという効果が得られる。
【発明を実施するための最良の形態】
【００３３】
次に、本発明の実施例について図面を参照して説明する。図１は本発明の一実施例による移動体通信システムの構成を示すブロック図である。図１において、本発明の一実施例による移動体通信システムは、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）無線ネットワークを構成しており、無線ネットワーク制御装置１と、基地局装置２と、移動体端末３とから構成されている。
【００３４】
無線ネットワーク制御装置１は基地局装置２とＡＴＭ（Ａｓｙｎｃｈｒｏｎｏｕｓ  Ｔｒａｎｓｆｅｒ  Ｍｏｄｅ）回線を用いて接続されており、移動体端末３は基地局装置２とＷ−ＣＤＭＡ無線アクセス方式で信号の送受信を行っている。基地局装置２はＨＳＵＰＡ（Ｈｉｇｈ−Ｓｐｅｅｄ  Ｕｐｌｉｎｋ  Ｐａｃｋｅｔ  Ａｃｃｅｓｓ）信号変復調部２１と、基地局装置２の各部の制御を行うＣＰＵ（中央処理装置）２２と、ＣＰＵ２２が実行するプログラムを格納しかつＣＰＵ２２がプログラムを実行する際の作業領域として使用するメモリ２３と、無線部２４と、アンテナ２５とを備えている。
【００３５】
ＨＳＵＰＡ信号変復調部２１では、ＨＡＲＱ（Ｈｙｂｒｉｄ  Ａｃｋｎｏｗｌｅｄｇｅ  Ｒｅｑｕｅｓｔ）方式を使って、移動体端末からのＥ−ＤＰＣＨ［Ｅ−ＤＣＨ（Ｅｎｈａｎｃｅｄ  Ｄｅｄｉｃａｔｅｄ  ＣＨａｎｎｅｌ）  Ｄｅｄｉｃａｔｅｄ  Ｐｈｙｓｉｃａｌ  ＣＨａｎｎｅｌ］の受信を行っているものとする。ＨＡＲＱ方式は一定時間単位のプロセス（ＰＲＯＣＥＳＳ）を用いて制御する方式で、有限のプロセスを１サイクルとする。
【００３６】
基地局装置２と移動体端末３との間の通信においては、無線環境の状態によってＥ−ＤＰＣＨの誤りが大きくなる場合があるため、ＨＳＵＰＡ信号変復調部２１ではＥ−ＤＰＣＨが受信できなかったり、ＭＡＣ（Ｍｅｄｉｕｍ  Ａｃｃｅｓｓ  Ｃｏｎｔｒｏｌ）−ｅ  ＰＤＵ（Ｐｒｏｔｏｃｏｌ  Ｄａｔａ  Ｕｎｉｔ）を正常に復号できない場合がある。その場合、移動体端末３はＭＡＣ−ｅ  ＰＤＵを再送するが、ＨＡＲＱ方式では同じプロセスを用いてＭＡＣ−ｅ  ＰＤＵの再送を実施する。ＭＡＣ−ｅ  ＰＤＵでは、再送回数を示すためにＲＳＮ（Ｒｅｔｒａｎｓｍｉｓｓｉｏｎ  Ｓｅｑｕｅｎｃｅ  Ｎｕｍｂｅｒ）フィールド（Ｆｉｅｌｄ）が規定されており、移動体端末３は再送時に何回目の再送かをこのフィールドで表示することができる。
【００３７】
ＨＳＵＰＡ信号変復調部２１では、ＭＡＣ−ｅ  ＰＤＵを正しく受信すことができても、このフィールドを正常に復号できない場合がある。さらに、ＲＳＮのフィールド長（Ｆｉｅｌｄ  Ｌｅｎｇｔｈ）は有限であり、実際にはＲＳＮのフィールド長で表示することができない回数の再送が予め許容されている場合があるため、ＲＳＮフィールドで表示された値が必ずしも正しい再送回数を表示していない場合がある。
【００３８】
そこで、本実施例では、Ｅ−ＤＰＣＨを正しく受信できない場合やＥ−ＤＰＣＨを受信してもＲＳＮフィールドを正常に復号できない場合、ＲＳＮのフィールド長の制限によって正確にカウントできない場合において、ＨＳＵＰＡ信号変復調部２１にて移動体端末３から送信されたＭＡＣ−ｅ  ＰＤＵ数及び再送信された数を推定する手段を提供し、正確に測定することを目的としている。
【００３９】
Ｅ−ＤＰＣＨは制御信号を含むＥ−ＤＰＣＣＨ（Ｅ−ＤＣＨ  Ｄｅｄｉｃａｔｅｄ  Ｐｈｙｓｉｃａｌ  Ｃｏｎｔｒｏｌ  ＣＨａｎｎｅｌ）と、ＭＡＣ−ｅ  ＰＤＵ等のユーザデータ（Ｕｓｅｒ  Ｄａｔａ）を含むＥ−ＤＰＤＣＨ（Ｅ−ＤＣＨ  Ｄｅｄｉｃａｔｅｄ  Ｐｈｙｓｉｃａｌ  Ｄａｔａ  ＣＨａｎｎｅｌ）とからなる。
【００４０】
ＨＳＵＰＡ信号変復調部２１は、Ｅ−ＤＰＣＣＨのＨＡＲＱコントロールインフォメーション（Ｃｏｎｔｒｏｌ  Ｉｎｆｏｒｍａｔｉｏｎ）で表示されるＴＥＢＳ（Ｔｏｔａｌ  Ｅ−ＤＣＨ  Ｂｕｆｆｅｒ  Ｓｔａｔｕｓ）から、移動体端末３のバッファ状況を知ることができ、これを考慮して移動体端末３に対してどのプロセスでＭＡＣ−ｅ  ＰＤＵを送信させるかを割り当てる。
【００４１】
したがって、ＨＳＵＰＡ信号変復調部２１では、ＭＡＣ−ｅ  ＰＤＵを受信するプロセスを予め期待することができる。期待したプロセスでＭＡＣ−ｅ  ＰＤＵを受信しなかった場合、そのプロセスで移動体端末３がＭＡＣ−ｅ  ＰＤＵを送信した可能性があると推定しておくことで、後に正常にＭＡＣ−ｅ  ＰＤＵを受信したて復号できた際に正確な再送回数を検出する。これによって、本実施例では、無線環境の状態によってＭＡＣ−ｅ  ＰＤＵが再送される場合において、正確な再送回数をカウントすることができる。
【００４２】
図２及び図３は本発明の一実施例による移動体通信システムの動作を説明するための図である。これら図２及び図３には、基地局装置２と移動体端末３との間の動作が示されている。基地局装置２にはＨＳＵＰＡ機能をサポートするＨＳＵＰＡ信号変復調部２１が存在し、図２及び図３には、ＨＳＵＰＡ信号変復調部２１と移動体端末３との間のＥ−ＤＰＣＨの送受信シーケンスを概略的に示している。
【００４３】
本実施例では、４つのＨＡＲＱプロセスを１サイクルとして信号の送受信を実施しているものとする。基地局装置２はＨＡＲＱプロセス単位でＥ−ＤＰＣＨの受信を実施し、移動体端末３はＨＡＲＱプロセス単位でＥ−ＤＰＣＨの送信を実施している。基地局装置２はＴＥＢＳから受信を期待するプロセスを決定する。移動体端末３はＥ−ＤＰＣＨを送信するが、基地局装置２では受信できない場合がある。その場合、基地局装置２は次のサイクルの同じ番号のプロセスで再送を期待し、移動体端末３もそのタイミングでＥ−ＤＰＣＨを送信する。
【００４４】
図４及び図５は図１のＨＳＵＰＡ信号変復調部２１の動作を示すフローチャートである。これら図１〜図５を参照して本発明の一実施例による無線ネットワーク制御装置１と基地局装置２との間のメッセージフローについて説明する。尚、図４及び図５に示すＨＳＵＰＡ信号変復調部２１の動作は、ＣＰＵ２２がメモリ２３のプログラムを実行することでも実現可能である。
【００４５】
ＨＳＵＰＡ信号変復調部２１は、移動体端末３から送信されるＥ−ＤＰＣＣＨのＨＡＲＱコントロールインフォメーションフィールドで表示されるＴＥＢＳから移動体端末３のバッファ状況を知ることができる。つまり、ＨＳＵＰＡ信号変復調部２１は、どれくらいのＥ−ＤＰＤＣＨを送信するかを知ることができる（図４ステップＳ１，Ｓ２）。
【００４６】
ＨＳＵＰＡ信号変復調部２１は、ＴＥＢＳの値からいくつのプロセスを使ってそのデータをＥ−ＤＰＤＣＨで送信するかを判断することができるため、受信するプロセスを予め期待することができ、その期待するプロセスを見つけ出す（図４ステップＳ３）。例えば、ＴＥＢＳで表示されたデータ量が３プロセス分であった場合、プロセス「１」、「２」、「３」を受信期待プロセスと定義する。
【００４７】
ＨＳＵＰＡ信号変復調部２１は受信期待プロセスでＥ−ＤＰＤＣＨを受信し（図４ステップＳ４）、ＲＳＮ値が期待通り“０”と表示されていれば（図４ステップＳ５，Ｓ６）、再送なしと判断する（図４ステップＳ７）。
【００４８】
ＨＳＵＰＡ信号変復調部２１は受信期待プロセスでＥ−ＤＰＤＣＨを受信したが（図４ステップＳ４）、ＲＳＮ値が期待と異なる値を復号した場合でも（図４ステップＳ５，Ｓ６）、ＲＳＮ誤りと判断し（図４ステップＳ８）、再送なしと判断する（図４ステップＳ７）。
【００４９】
ＨＳＵＰＡ信号変復調部２１は受信期待プロセスでＥ−ＤＰＤＣＨを受信できなかった場合（図４ステップＳ４，図５ステップＳ９）、再送推定回数を＋１カウントし（図５ステップＳ１０）、次の同じ番号のプロセスでＥ−ＤＰＤＣＨを受信することを期待する。移動体端末３側も基地局装置２からＡＣＫ（ＡＣＫｎｏｗｌｅｄｇｅｍｅｎｔ）メッセージ（Ｍｅｓｓａｇｅ）が受信できないので、次の同じ番号のプロセスでＥ−ＤＰＤＣＨを再送信する。
【００５０】
その再送でも、ＨＳＵＰＡ信号変復調部２１が再送されたＥ−ＤＰＤＣＨを受信できなかった場合には（図５ステップＳ９）、再送推定回数を＋１カウントアップし（図５ステップＳ１０）、さらに次のサイクルで同じ番号のプロセスでＥ−ＤＰＤＣＨの受信を期待する。移動体端末３もさらに次の同じ番号のプロセスでＥ−ＤＰＤＣＨを再送信するが、ＲＳＮ値をインクリメントする。
【００５１】
ＨＳＵＰＡ信号変復調部２１はＥ−ＤＰＤＣＨを受信し（図５ステップＳ９）、ＭＡＣ−ｅ  ＰＤＵを復号した際（図５ステップＳ１１）、最初に期待したプロセスを基準にして、何回目のプロセスでＥ−ＤＰＤＣＨを受信できたかを判断するため、再送推定回数を使用する。ＨＳＵＰＡ信号変復調部２１はＭＡＣ−ｅ  ＰＤＵのＲＳＮ値が再送推定回数と同じ値を表示していれば（図５ステップＳ１３）、そのＲＳＮ値を再送回数として採用する（図５ステップＳ１４）。ＨＳＵＰＡ信号変復調部２１はＲＳＮ値が再送推定回数と異なる値を復号した場合（図５ステップＳ１３）、復号の過程で誤りがあったと判断して、期待値（再送推定回数）を採用する（図５ステップＳ１５）。
【００５２】
基地局装置２と移動体端末３との間で再送回数を表示するＲＳＮのフィールド長は有限であるため、表示できる値に限りがある。無線ネットワーク制御装置１から指定される最大再送回数はこの値よりも大きい場合があり、移動体端末３はこの設定された最大再送回数までＥ−ＤＰＤＣＨを再送することができる。そのため、基地局装置２がＥ−ＤＰＤＣＨを受信し、ＲＳＮを正確に復号できた場合でも、ＲＳＮ値が表示できる最大を報告している場合には実際の再送回数とは異なる可能性がある。
【００５３】
ＨＳＵＰＡ信号変復調部２１は、上記の場合と同様に、受信期待プロセスを予め判断することができるため、最初の受信期待プロセスを基準にして、実際に受信したプロセスが何回目のプロセスでＥ−ＤＰＤＣＨを受信できたかを把握するため、再送推定回数をカウントする。ＨＳＵＰＡ信号変復調部２１はＭＡＣ−ｅ  ＰＤＵのＲＳＮ値が表示できる最大値を報告している場合（図５ステップＳ１２）、カウントした再送推定回数を採用する（図５ステップＳ１５）。
【００５４】
このように、本実施例では、基地局装置２においてＴＥＢＳから移動体端末３が送信するＭＡＣ−ｅ  ＰＤＵ数を考慮して使用するプロセス数を判断し、ＭＡＣ−ｅ  ＰＤＵを受信するプロセスを予測しておくことで、最初の期待プロセスを基準として実際にＭＡＣ−ｅ  ＰＤＵを受信した際のＲＳＮ値が正しいかどうかを判断することができる。
【００５５】
また、本実施例では、予測した期待受信プロセスを基準にして、実際にＭＡＣ−ｅ  ＰＤＵを受信したプロセスが何回目の期待プロセスかを把握することで、ＲＳＮ値を誤って復号した場合にも正しい再送回数を把握することができる。
【００５６】
さらに、本実施例では、予測した期待受信プロセスを基準にして、実際にＭＡＣ−ｅ  ＰＤＵを受信したプロセスが何回目の期待プロセスかを把握することで、無線ネットワーク制御装置１から指定された最大再送回数が表示可能なＲＳＮ値の最大値よりも大きい場合で、受信したＲＳＮ値が最大値を示していた場合に、正しい再送回数を把握することができる。
【００５７】
尚、ＨＳＵＰＡ信号変復調部２１はＴＥＢＳからどれくらいのＭＡＣ−ｅ  ＰＤＵ数が移動体端末３から送信されるかを判断し、受信を期待するプロセスを決定するが、移動体端末３は必ずしも割り当てられた最大バイト（Ｂｙｔｅ）でＥ−ＤＰＤＣＨを送信するとは限らない。つまり、実際に送信されたＭＡＣ−ｄ  ｆｌｏｗ数と期待したＭＡＣ−ｄ  ｆｌｏｗ数とに差が生じる可能性がある。それによって、受信を期待するプロセス数にも差が生じる可能性がある。
【００５８】
また、ＨＳＵＰＡ信号変復調部２１はＥ−ＤＰＤＣＨのＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）フィールドで実際に受信したＭＡＣ−ｄ  ｆｌｏｗ数を把握することができる。すなわち、最初に期待したプロセス通りに移動体端末３からデータが送信されているかどうかを判断することができるため、受信を期待するプロセスをより正確に判断し、柔軟に対応することができる。
【図面の簡単な説明】
【００５９】
【図１】本発明の一実施例による移動体通信システムの構成を示すブロック図である。
【図２】本発明の一実施例による移動体通信システムの動作を説明するための図である。
【図３】本発明の一実施例による移動体通信システムの動作を説明するための図である。
【図４】図１のＨＳＵＰＡ信号変復調部の動作を示すフローチャートである。
【図５】図１のＨＳＵＰＡ信号変復調部の動作を示すフローチャートである。
【符号の説明】
【００６０】
１  無線ネットワーク制御装置
２  基地局装置
３  移動体端末
２１  ＨＳＵＰＡ信号変復調部
２２  ＣＰＵ
２３  メモリ
２４  無線部
２５  アンテナ
【図１】
2008103862.tif 000003
【図２】
2008103862.tif 000004
【図３】
2008103862.tif 000005
【図４】
2008103862.tif 000006
【図５】
2008103862.tif 000007